(57)【要約】  【課題】  外側電極体の電極棒に対する傾斜を少なくできる電極及び冷陰極放電ランプを提供することを目的とする。【解決手段】  冷陰極蛍光ランプは、内周面に蛍光体１４０が被着されたガラス管１００と、このガラス管１００の両端に封着された電極２００とを備える。電極２００は、外側電極体２１０、内側電極体２２０及び電極棒２３０とを備える。外側電極体２１０は、中央に貫通孔２１４を有する底板２１２を筒部２１１の一端に備える。内側電極体２２０は、筒部２２１の端面が、筒部２２１の軸心に直交する対向面２２２となっている。電極棒２３０は、外側電極体２１０の貫通孔２１４に挿通されると共に当該挿通部分２３２が内側電極体２２０に内嵌している。また、外側電極体２１０は、その底板２１２が内側電極体２２０の対向面２２２に当接した状態で、電極棒２３０に固着されている。  【選択図】  図２
2005142082.tif 000002
【特許請求の範囲】
【請求項１】
中央に貫通孔を有する底板を一端に備える筒状の外側電極体と、当該外側電極体の底板の貫通孔を介して前記外側電極体の内部から外部へと延伸する電極棒と、前記外側電極体の内部で前記電極棒に外嵌して前記外側電極体とで２重筒を構成する内側電極体とを備え、
前記内側電極体は、前記外側電極体の底板に対向する対向面を電極棒側の端部に備えると共に、当該対向面が前記外側電極体の底板の内面に内側から当接していることを特徴とする電極。
【請求項２】
前記対向面は、内側電極体の端面であることを特徴とする請求項１に記載の電極。
【請求項３】
中央に貫通孔を有する底板を一端に備える筒状の外側電極体と、当該外側電極体の底板の貫通孔を介して前記外側電極体の内部から外部へと延伸する電極棒と、前記外側電極体の内部で前記電極棒に取着されて前記外側電極体とで２重筒を構成する内側電極体とを備え、
前記電極棒は、前記外側電極体の底板に対向する対向面を外側電極内に位置する部分に備えると共に、当該対向面が前記外側電極体の底板の内面に内側から当接していることを特徴とする電極。
【請求項４】
前記電極棒における外側電極内に位置する部分は、前記貫通孔内に位置する部分の径より大きい大径部となっており、当該大径部における前記底板の貫通孔側に位置する面が、前記外側電極体の底板に対向する対向面になっていることを特徴とする請求項３に記載の電極。
【請求項５】
前記対向面は、前記内側電極体の軸心と略直交していることを特徴とする請求項１〜４の何れか１項に記載の電極。
【請求項６】
前記外側電極体の底板における貫通孔周辺部が、当該外側電極体の軸心と直交していることを特徴とする請求項１〜５の何れか１項に記載の電極。
【請求項７】
前記内側電極体が電極棒に外嵌している長さは、当該電極棒の外径寸法以上であることを特徴とする請求項１、２、５及び６の何れか１項に記載の電極。
【請求項８】
第１の筒部の一端に当該筒部の軸心と略直交する方向に延伸する延伸部を有する第１電極体と、第２の筒部の一端に当該筒部の軸心と略直交する直交面を有する第２電極体とを２重筒状に備える電極本体と、当該２重筒状の内側に位置する電極体の筒部の一端部に内嵌する電極棒とを備え、
前記第２電極体の直交面が前記第１電極体の延伸部の内面に当接していることを特徴とする電極。
【請求項９】
請求項１〜８の何れか１項に記載の電極をガラス管の端部に備えることを特徴とする冷陰極放電ランプ。
【請求項１０】
前記ガラス管の内周と、前記電極における外側電極体の外周とのクリアランスが、０．２ｍｍ以下であることを特徴とする請求項９に記載の冷陰極放電ランプ。
【請求項１１】
前記ガラス管の内周に蛍光体が被着されていることを特徴とする請求項９又は１０に記載の冷陰極放電ランプ。
【発明の詳細な説明】
【技術分野】
【０００１】
本発明は、例えば、液晶ディスプレイ用バックライト等に適用される冷陰極放電ランプに関する。
【背景技術】
【０００２】
冷陰極蛍光ランプは、陰極降下電圧が高いために電極損失が大きく、従来から高効率化、低消費電力化、さらには長寿命化が要求されている。特に、バッテリー駆動の携帯型液晶機器においてその要望が強い。
冷陰極蛍光ランプの電極損失の低減を図ったものとして、電極の形状を筒状にした、いわゆるホロー型の電極を用い、その内面に、電子放射物質を被着させたものがある（例えば、特許文献１）。
【０００３】
このホロー型の電極では、電子放射物質の被着により陰極降下電圧を低減させることができ、これにより、ランプ点灯中に起こる陽イオンの陰電極への衝撃が弱くなり、ホロー電極の内面に被着されている電子放射物質の消耗が抑制されるという効果が得られる。
ところが、上記のホロー型の電極を用いた冷陰極蛍光ランプでも、点灯時間が数千時間を越えると、電子放射物質が消耗してしまい、陰極降下電圧が上昇してしまうという問題がある。
【０００４】
そこで、ホロー型の電極の電子放射物質の被着量を増やすものとして、例えば、電極構造を２重筒状にして、その内周面に電子放射物質を被着させたものがある（例えば、特許文献２）。
図８は、従来の２重筒状をした電極を用いた冷陰極蛍光ランプにおける端部の断面拡大図である
電極９００は、図８に示すように、中央に貫通孔９２２を有する底板９２１を一端に備える筒状の外側電極体９２０と、この外側電極体９２０の底板９２１の貫通孔９２２を介して外側電極体９２０の内部から外部へと延伸する電極棒９４０と、外側電極体９２０の内部で電極棒９４０の端面に取着された内側電極体９１０とからなる。なお、電極棒９４０は、外側電極体９２０及び内側電極体９１０への給電用であり、これらの電極体９１０，９２０への固着は、例えば、溶接によりなされる。
【０００５】
ホロー型の電極９００のガラス管９７０の端部９７０ａへの取り付けは、先ずガラスビーズ９６０の貫通孔９６０ａに電極棒９４０を融着し、このホロー型の電極９００が取着されたガラスビーズ９６０をガラス管９７０の端部９７０ａに封着することによりなされる。なお、ガラス管９７０の内周面には蛍光体９８０が被着されている。
【特許文献１】特開平１０−２３３１８８号公報
【特許文献２】特開２００２−２９８７７９号公報
【発明の開示】
【発明が解決しようとする課題】
【０００６】
しかしながら、上述のホロー型の電極９００を利用した冷陰極蛍光ランプでは、電子放射物質９５０の被着量を増やすことはできるものの、底板９２１が薄いために、電極棒９４０と外側電極体９２０とを同軸上に互いに固着するのが困難であり、外側電極体９２０
が電極棒９４０に対して傾斜してしまうという問題がある。
一方、外側電極体９２０とガラス管９７０とのクリアランスは、０．２「ｍｍ」以下に設定されており、外側電極体９２０が電極棒９４０に対して傾斜した状態の電極９００をガラス管９７０の内部へと挿入すると、挿入後の外側電極体９２０と蛍光体９８０とが近接しすぎて電極９００から蛍光体９８０側へとリーク電流が流れたり、傾斜がひどい場合には、電極９００を挿入する時に蛍光体９８０を剥がしてしまったりするのである。
【０００７】
ここで、外側電極体９２０とガラス管９７０とのクリアランスを０．２［ｍｍ］以下にすると、ガラス管９７０の内部の陽イオンがその隙間に入るのを防止でき、外側電極体９２０の外周面さらには電極棒９４０の外周に陽イオンがスパッタするのを防げるのである。
なお、外側電極体の底板に、電極棒側に突出する鍔部を設けて、電極棒を鍔部に内嵌させて傾斜するのを防ぐこともできるが、その鍔部の分だけ全長が長くなってしまうことから、無放電空間が増え、却ってランプ効率の低下等を招いてしまうのである。
【０００８】
本発明は、上記のような問題点に鑑みてなされたものであって、外側電極体の電極棒に対する傾斜を少なくできる電極及び冷陰極放電ランプを提供することを目的とする。
【課題を解決するための手段】
【０００９】
上記目的を達成するために、本発明に係る電極は、中央に貫通孔を有する底板を一端に備える筒状の外側電極体と、当該外側電極体の底板の貫通孔を介して前記外側電極体の内部から外部へと延伸する電極棒と、前記外側電極体の内部で前記電極棒に外嵌して前記外側電極体とで２重筒を構成する内側電極体とを備え、前記内側電極体は、前記外側電極体の底板に対向する対向面を電極棒側の端部に備えると共に、当該対向面が前記外側電極体の底板の内面に内側から当接し、また、前記対向面は、内側電極体の端面である。
【００１０】
また、中央に貫通孔を有する底板を一端に備える筒状の外側電極体と、当該外側電極体の底板の貫通孔を介して前記外側電極体の内部から外部へと延伸する電極棒と、前記外側電極体の内部で前記電極棒に取着されて前記外側電極体とで２重筒を構成する内側電極体とを備え、前記電極棒は、前記外側電極体の底板に対向する対向面を外側電極内に位置する部分に備えると共に、当該対向面が前記外側電極体の底板の内面に内側から当接している。
【００１１】
特に、前記電極棒における外側電極内に位置する部分は、前記貫通孔内に位置する部分の径より大きい大径部となっており、当該大径部における前記底板の貫通孔側に位置する面が、前記外側電極体の底板に対向する対向面になっている。また、前記対向面は、前記内側電極体の軸心と略直交している。さらに、前記外側電極体の底板における貫通孔周辺部が、当該外側電極体の軸心と直交し、また、前記内側電極体が電極棒に外嵌している長さは、当該電極棒の外径寸法以上である。
【００１２】
また、第１の筒部の一端に当該筒部の軸心と略直交する方向に延伸する延伸部を有する第１電極体と、第２の筒部の一端に当該筒部の軸心と略直交する直交面を有する第２電極体とを２重筒状に備える電極本体と、当該２重筒状の内側に位置する電極体の筒部の一端部に内嵌する電極棒とを備え、前記第２電極体の直交面が前記第１電極体の延伸部の内面に当接していることを特徴とする電極。
【００１３】
一方、本発明に係る冷陰極放電ランプは、上記構成の電極をガラス管の端部に備える。このとき、前記ガラス管の内周と、前記電極における外側電極体の外周とのクリアランスが、０．２ｍｍ以下であり、また、前記ガラス管の内周に蛍光体が被着されている。
【発明の効果】
【００１４】
本発明に係る電極は、対向面と外側電極体の底板の内面とが当接するので、例えば、対向面を電極棒の軸心に対して直交させれば、電極棒と外側電極体の底板とが直交することになり、外側電極体の電極棒に対して傾斜を少なくできる。
また、本発明に係る冷陰極放電ランプは、外側電極体と電極棒とが略同軸上に取着されているので、電極をガラス管の端部に挿入する際に、電極とガラス管の内周面とが接触するようなことを少なくでき、しかも、外側電極とガラス管の内周面とのクリアランスを略一定にした状態で取着できる。
【発明を実施するための最良の形態】
【００１５】
以下、本発明の電極と、この電極を冷陰極蛍光ランプ用いた例について図面を参照しながら説明する。
１．冷陰極蛍光ランプの構成について
図１は、冷陰極蛍光ランプの一部を切り欠いた正面図である。
冷陰極蛍光ランプ１０は、図１に示すように、ガラス管１００と、このガラス管１００の両端部１１０，１２０に装着された電極２００、２５０とを備えている。
【００１６】
ガラス管１００は、その内周面には、蛍光体（例えば３波長型。）１４０が塗布されている。また、ガラス管１００の内部には、水銀、希ガス等が所定の封入圧で封入されている。
２．電極の構成について
図２は、図１のＡ部の拡大図であり、図３は、電極の斜視図である。なお、電極２００，２５０は、同じ構造をしているため、ここでは電極２００について説明する。
【００１７】
電極２００は、図２にも示すように、中央に貫通孔２１４を有する底板２１２を筒部２１１の一端に備える筒状の外側電極体２１０と、この外側電極体２１０に対して２重筒に配された内側電極体２２０とを備える電極本体２４０と、外側電極体２１０の貫通孔２１４に挿通されると共にこの挿通部分２３２に内側電極体２２０が取着されている電極棒２３０とを備えている。
【００１８】
外側電極体２１０は、図２に示すように、筒部２１１の内周面に電子放射物質２１８が被着されている。外側電極体２１０の底板２１２は、筒部２１１の軸心に対して直交する方向であって、軸心側に延伸すように形成されており、この底板２１２に形成されている貫通孔２１４の径は、電極棒２３０の挿通部分２３２の外径と略同じである。
内側電極体２２０は、筒部２２１を備えると共に、この筒部２２１の内周面に電子放射物質２２４が被着されている。筒部２２１における一端部（電極棒２３０側の端部）の内径は、電極棒２３０の挿通部分２３２の外径と略等しくなっており、また、電極棒２３０側の端面（ここでは、この端面が対向面２２２である。）が、筒部２２１の軸心に略直交している。
【００１９】
電極棒２３０の挿通部分２３２は、外側電極体２１０の底板２１２の貫通孔２１４に挿通され、この挿通部分２３２が内側電極体２２０の一端部に内嵌している。また、内側電極体２２０を構成する筒部２２１の対向面２２２は、外側電極体２１０の底板２１２の内面に当接している。
電極棒２３０の挿通部分２３２と内側電極体２２０、電極棒２３０と外側電極体２１０の貫通孔２１４の周縁部は、例えば、スポット溶接等の抵抗溶接、或いはレーザ溶接等の溶接により固着されている。このとき、外側電極体２１０の底板２１２の内面に、内側電極体２２０の筒部２２１の対向面（電極棒２３０側の端面）２２２が当接する状態で、外側電極体２１０が電極棒２３０に結合される。
【００２０】
電極本体２４０は、例えば、ニッケル、ニオビウム、タンタル、モリブデン、タングステン等の金属により形成されており、それぞれの電極体２１０，２２０の内周面に被着される電子放射物質２１８，２２４には、例えば、アルカリ金属酸化物やアルカリ土類金属酸化物が用いられる。
なお、電極２００は、電極棒２３０の中間部が、図２に示すように、ガラスビーズ１５０の貫通孔１５１に取着され、この状態でガラス管１００の端部１１０にガラスビーズ１５０が封着される（図１参照）。
【００２１】
３．ランプの具体例について
上記構成のランプについて具体的に以下に説明する。
先ず、ガラス管１００は、図１に示すように、外径Ｄ１が２．４［ｍｍ］、内径Ｄ２が２［ｍｍ］、の硼珪酸ガラスを用い、ガラス管１００の内周面に被着される蛍光体１４０には、赤色発光用のユーロピウム付活酸化イットリウム蛍光体、青色発光用のユーロピウム付活アルミン酸バリウムマグネシウム蛍光体、緑色発光用のセリウム・テルビウム共付活リン酸ランタン蛍光体の３波長発光型のものが用いられている。
【００２２】
次に電極２００（電極２５０も電極２００と同じである）について説明する。電極棒２３０は、モリブデン製の棒材を用い、その外径Ｄ５が０．８［ｍｍ］である。この電極棒２３０の挿通部分２３２に外嵌する内側電極体２２０は、ニッケル製の筒材を用い、この筒材は内径が０．８［ｍｍ］、外径Ｄ３が１．０［ｍｍ］、長さが４．９［ｍｍ］である。
【００２３】
また、外側電極体２１０は、厚さ０．１［ｍｍ］のニッケル薄板を用い、内径が１．６［ｍｍ］、外径Ｄ４が１．８［ｍｍ］、長さが５．０［ｍｍ］であり、底板２１２の中央には、直径が０．８［ｍｍ］の貫通孔２１４が形成されている。
内側電極体２２０に内嵌されている電極棒２３０の長さＬ１は、０．８［ｍｍ］である。この嵌合している長さＬ１は、電極棒２３０の外径Ｄ５以上あれば、電極棒２３０の軸心と内側電極体２２０の筒部２２１の軸心とを略一致させて状態で、電極棒２３０と内側電極体２２０と嵌着できる。
【００２４】
なお、電極本体２４０の内周面（正確には、筒部２１１，２２１の内周面、底板２１２の内面）の電子放射物質２１８，２２４には、バリウム、ストロンチウム、カルシウム等の炭酸塩が用いられている。
上記の電極本体２４０は、ガラスビーズ１５０の内側端面と外側電極体２１０の底板２１２の外面との距離Ｌ２が、０．５［ｍｍ］となるようにガラス管１００の端部１１０に封着されている。
【００２５】
４．電極の製造方法について
上記構成の電極の製造方法について以下説明する。
図４は、電極の製造方法を説明する概略図である。
先ず、電極本体を構成する外側電極体用の筒体３１０及び内側電極体用の筒体３２０とを準備する。そして、外側電極体用の筒体３１０を、図４の（ａ）に示すように、電子放射物質を含浸する懸濁液３４０に、その底板３１２が上となる状態で開口側（底板と反対側）の端から浸漬させる。このとき、筒体３１０は、底板３１２が懸濁液に浸漬しない位置、つまり、筒体の一端からの所定長さまで浸漬した状態で保持される。また、内側電極体用の筒体３２０を、一端から所定長さ、例えば、電極棒が挿入される部分３２１に懸濁液３４０が付着しないように、その下部側から浸漬させる。
【００２６】
このとき、外側電極体用の筒体３１０の底板３１２には貫通孔３１４が形成されているので、筒体３１０の内周面に懸濁液３４０を塗布する際にも、筒体３１０の内部に空気が残るようなことは無く、筒体３１０の開口側の端から所定長さの内周面の全面に懸濁液３４０を略均一に塗布できる。しかも、筒体３１０全体を懸濁液３４０に浸漬する必要がないので、筒体３１０を保持して懸濁液３４０に浸漬する冶具に懸濁液が付着するのとを防ぐことができる。
【００２７】
内側電極体用の筒体は、図４の（ａ）に示すように、筒形状であるため、外側電極体用の筒体３１０と同様に、その内・外周面に懸濁液３４０を略均一に塗布できる。
次に、懸濁液３４０に浸漬している外側電極体用の筒体３１０と内側電極体用の筒体３２０とを上方に引き上げる。実施の形態では、外側電極体と内側電極体の内周面に電子放射物質が被着される構成を採用しているため、上述の両筒体３１０，３２０の外周面に塗布された懸濁液３４０は、図４の（ｂ）に示すように、乾燥前に、例えば、拭き取られて除去される。
【００２８】
そして、不要な懸濁液３４０が除去された内側電極体用の筒体３２０及び外側電極体用の筒体３１０を乾燥炉等により乾燥させて、図４の（ｃ）に示すように、両筒体３１０，３２０の内周面に電子放射物質を被着させる。
上記のようにして筒体３１０，３２０に電子放射物質を被着することにより、外側電極体２１０及び内側電極体２２０が構成され、以下、両電極体２１０，２２０を用いて、これらの組み立てについて説明する。
【００２９】
先ず、図５の（ａ）に示すように、内側電極体２２０の内周面に電子放射物質２２４が被着されていない側の端部に、電極棒２３０を上方から挿入させて、内側電極体２２０と電極棒２３０の一端側（下端側）部分とを嵌着させる。そしてこの状態で、電極棒２３０と内側電極体２２０とを、例えばＣ方向から、例えば、スポット溶接で互いに固着する。
互いの固着が完了すると、図５の（ｂ）に示すように、外側電極体２１０を、その開口側の端部を電極棒２３０の他端側に向けた状態で、上方から電極棒２３０側（図５の（ｂ）における矢印方向）に移動させ、外側電極体２１０の貫通孔２１４から電極棒２３０の他端を延出させ、さらに外側電極体２１０を矢印方向に移動させて、図５の（ｃ）に示すように、外側電極体２１０の底板２１２の内面と内側電極体２２０の対向面２２２とを当接させる。そして、この当接状態を保持して、例えば、図５の（ｃ）のＤ方向からレーザ溶接を行い、電極棒２３０と外側電極体２１０とを結合させる。
【００３０】
このとき、外側電極体２１０の底板２１２に形成されている貫通孔２１４の直径が内側電極体２２０の外径よりも小で且つ電極棒２３０の外径よりも大であるため、外側電極体２１０における電極棒２３０に対する長手方向（電極棒２３０の軸心方向）の位置合せは、外側電極体２１０を内側電極体２２０に当接するまで単に移動させれば良く、容易且つ正確に行える。
【００３１】
また、内側電極体２２０の電極棒２３０が嵌着される側の対向面２２２は筒部２２１の軸心に対して直交し、また、外側電極体２１０の底板２１２は筒体２１１の軸心に対して直交しているので、内側電極体２２０の対向面２２２を外側電極体２１０の底板２１２に当接させた状態で結合すると、外側電極体２１０の筒体２１１の軸心と電極棒２３０の軸心とが一致しやすく、電極棒２３０に対して外側電極体２１０が傾斜するのを防ぐことができる。
【００３２】
しかも、外側電極体２１０の底板２１２は、電極棒２３０の径よりも大きい内側電極体２２０の対向面２２２に当接しているため、安定した状態で外側電極体２１０を保持できる。これにより、外側電極体２１０の電極棒２３０に対する傾斜角を小にできる上、その傾斜角のバラツキを小さくして電極棒２３０に固着できる。
このようにして製造された電極２００を電気炉等に入れて、電子放射物質を熱分解する（例えば、ＢａＣＯ3→ＢａＯ＋ＣＯ2）。そして、電極棒２３０の軸心と外側電極体２１０の軸心とが略一致した状態で結合されることになる。このため、ガラス管１００の端部１１０から内部に電極２００を挿入する際に、ガラス管１００の軸心と電極棒２３０の軸心とを一致させた状態で行うと、外側電極体２１０の外周面と、ガラス管１００の内周面とのクリアランスを一定に保ったまま、電極２００をガラス管１００の内部に組み込むことができる。
【００３３】
なお、上述の電極２００が組み込まれた冷陰極蛍光ランプ１０は、外側電極体２１０の外周面とガラス管１００の内周面とのクリアランスが所定の一定値に略保持されるため、従来の電極で生じていた、点灯時に電極からガラス管の内周面の蛍光体側に流れるリーク電流を抑制することができる。
また、上記構成の電極２００は、外側電極体２１０と内側電極体２２０とを用いた２重筒状に構成されているので、電極を大型化することなく、電極本体２４０の内周に被着される電子放射物質の量を多くできる。このため、長期間に亘って陰極降下電圧の上昇を防ぐことができ、結果的にランプの寿命を長くすることができる。
【００３４】
さらに、内側電極体２２０における電極棒２３０側の対向面２２２が外側電極体２１０の底板２１２に当接するように構成されている、つまり、外側電極体２１０の貫通孔２１４は、内側電極体２２０の外径よりも小さく構成されている。このため、電極棒２３０と外側電極体２１０との結合が外れたとしても、外側電極体２１０が電極棒２３０から抜け落ちることはない。従って、外側電極体が抜けて発光管の内周面に接触することにより、外側電極体の陰が発生するようなことを防ぐことができる。なお、外側電極体の影がランプに映ると、その影の部分の輝度が劣り、ディスプレイ上に輝度ムラが発生してしまうのである。
【００３５】
なお、電極棒２３０と外側電極体２１０の貫通孔２１４とを締り嵌めにしておくと、電極棒２３０と外側電極体２１０との溶接が外れたとしても、外側電極体２１０が電極棒２３０に対して傾斜しにくく、直ちに外側電極体が傾斜するような場合に比べてランプの寿命が長くなる。
本実施の形態における内側電極体は、本発明の第２電極体に相当し、内側電極体の対向面が本発明の直交面に相当する。また、外側電極体は、本発明の第１電極体に相当し、底板が本発明の延伸部に相当する。
【００３６】
＜変形例＞
以上、本発明を実施の形態に基づいて説明したが、本発明の内容が、上記の実施の形態に示された具体例に限定されないことは勿論であり、例えば、以下のような変形例を実施することができる。
１．電極の構造について
以下、本発明の対向面に係る変形例について説明するが、本発明でいう「直交面」は、対向面のうち、対向面が形成されている筒体の軸心に直交したものとしている。
【００３７】
（Ａ）対向面について
上記の実施の形態では、対向面を内側電極体に設けているが、外側電極体にも設けることができる。
図６の（ａ）は、対向面を外側電極体に設けた場合の電極を示す図である。
電極５１０は、上記の実施の形態と同様に、外側電極体５２０、内側電極体５３０及び電極棒５５０とからなる。内側電極体５３０は、筒部５３１の一端部に、筒部５３１の軸心と直交する方向であって、外方に延伸する延伸部５３２を有していると共に、筒部５３１の端部に電極棒５５０の先端部５５２が内嵌している。
【００３８】
なお、外側電極体５２０と電極棒５５０との固着は、電極棒５５０が筒部５３１に内嵌する状態で、筒部５３１の内周面と電極棒５５０に外周面とが固着するようにレーザ溶接により行われる。
外側電極体５２０は、直管状の筒部５２１を備え、一端面が筒部５２１の軸心と直交すると共に、内側電極体５３０の延伸部に５３２に対向する対向面５２２（本発明の直交面にも相当する）となっている。
【００３９】
電極５１０として組立てられた状態では、外側電極体５２０の筒部５２１の対向面５２２が内側電極体５３０の延伸部５３２の筒部５３１側の面に当接している。そして、この当接する状態で、互いの当接面を例えば抵抗溶接することで、内側電極体５３０と外側電極体５２０とが固着される。なお、電極棒５５０と内側電極体５３０とは、実施の形態と同様に、電極棒５５０の外周面と内側電極体５３０の内周面とがレーザ溶接により固着されることによりなされる。
【００４０】
これにより、外側電極体５２０は、その軸心が電極棒５５０の軸心と略一致することになり、外側電極体５２０の電極棒５５０に対する傾斜を小にすることができる。
なお、ここでは、外側電極体５２０は、本発明の第２電極体に相当し、内側電極体５３０は本発明の第１電極体に相当する。また、外側電極体５２０の筒部５２１が第１の筒部に、内側電極体５３０の筒部５３１が第２の筒部にそれぞれ相当している。
【００４１】
（Ｂ）内側電極体の対向面について
実施の形態では、内側電極体２２０の形状は直管形状であったが、他の形状でも良い。例えば、筒部の一端に、この筒部の軸心と直交する方向であって、外方側に延伸する鍔部を設けても良い。
図６の（ｂ）は、内側電極体の筒部の一端に鍔部を形成した場合の電極を示す図である。同図に示すように、内側電極体６３０の筒部６３１に形成された鍔部６３２における筒部６３１側と反対側の面は、筒部６３１の軸心に対して直交していると共に、外側電極体６２０の底板６２２に対向する対向面（本発明の直交面にも相当する）となっている。
【００４２】
そして、この対向面に外側電極体６２０の底板６２２の内面を当接させれば、上記実施の形態と同様に、外側電極体６２０を電極棒６５０に対して傾斜して取着されることを防止できる。電極棒２３０と内側電極体６３０との結合は、例えば、第１の実施の形態における電極棒２３０と内側電極体２２０との結合と同様、電極棒６５０の挿通部分６５２が内側電極体６３０の鍔部６３２が形成されている側の端部に内嵌した状態で、溶接等により結合されている。
【００４３】
なお、ここでは、外側電極体６２０は、本発明の第１電極体に相当し、また、内側電極体６３０は本発明の第２電極体に相当する。また、鍔部６３２は、本発明における延伸部に相当する。
（Ｃ）対向面を電極棒に形成する場合
実施の形態では、外側電極体２１０の底板２１２の内面に当接する対向面を、内側電極体２２０の端面で構成しているが、他の部材、具体的には、電極棒に対向面を形成しても良い。
【００４４】
図７の（ａ）は、対向面を電極棒に形成した場合の電極を示す図である。
電極棒７５０は、図７（ａ）に示すように、外側電極体７２０内に挿通している挿通部分が、外側電極体７２０の底板７２２に形成されている貫通孔７２４よりも大きい径の大径部７５２となっており、この大径部７５２における電極棒７５０の中央側の面が、外側電極体７２０の底板７２２に対向する対向面７５６となっていると共に電極棒７５０の軸心に直交するように（本発明の直交面に相当する）形成されている。
【００４５】
このように対向面７５６を電極棒７５０に形成して、この対向面７５６と外側電極体７２０の底板７２２の内面とを当接させることにより、電極棒７５０の軸心と外側電極体７２０の軸心とを略一致させることができる。
なお、実施の形態では、内側電極体２２０の筒部２２１の端面を対向面としているため、内側電極体２２０と電極棒２３０とを嵌合により互いの軸心を一致させていたが、この変形例のように、電極棒７５０に軸心と直交する対向面７５６を形成すると、電極棒７５０と内側電極体７３０とを嵌合させる必要がなくなる。
【００４６】
図７の（ｂ）は、電極棒に対向部を設けた場合の変形例を示す図である。
電極８１０は、外側電極体８２０、内側電極体８３０及び電極棒８５０から構成される。この内側電極体８３０は、その筒部８３１の一端に底板８３２を備え、この底板８３２に電極棒８５０の先端面８５８が、例えば、溶接によって固着されている。
（Ｄ）その他
実施の形態及び変形例の説明では、電極本体は、第１電極体と第２電極体とを別体としていたが、電極本体を、第２電極体の直交面が第１電極体の延伸部に当接する構造のものを一体に形成したものを利用しても良い。
【００４７】
２．電子放射物質について
実施の形態では、電子放射物質２１８，２２４は２重筒構造の電極体２２０，２１０の内周面に被着されているが、例えば、図７の（ａ）に示すように、外側電極体７２０の内周面の電子放射物質２１８の他、内側電極体７３０の外周面にも電子放射物質２２４を被着しても良いし、また、図７の（ａ）に示すように、外側電極体７２０の底板７２２の内面には、電子放射物質を被着しなくても良い。
【００４８】
３．ガラス管について
上記実施の形態では、直管形状のガラス管を用いたが、他の形状のものであっても良い。たとえば、１箇所で屈曲させて「Ｌ」字形状にしたもの、或いは、２箇所で屈曲させて「コ」字形状にしたものであっても良い。
４．貫通孔の形状について
実施の形態では、外側電極体２１０の底板２１２に形成されている貫通孔２１４の形状と、電極棒２３０の横断面形状とは、互いに円形状をしているが、多角形、楕円形状等の他の形状にしても良い。但し、外側電極体の貫通孔に電極棒を挿入したときに、電極棒と外側電極体の軸心が一致するような形状でなければならない。
【００４９】
また、外側電極体の底板の貫通孔の形状は、電極棒の横断面形状に合わせて円形状をしているが、外側電極体の貫通孔に電極棒を挿入したときに、電極棒と外側電極体の軸心を一致させることができる形状であれば他の形状にしても良い。
このような他の形状の例としては、正三角形、正四角形等の正多角形がある。但し、この正多角形の内接円が電極棒の横断面における円と一致する大きさにする必要がある。この場合においても、正多角形の各辺で電極棒の外周面と当接するので、電極棒と外側電極体の軸心を一致させることができる。
【００５０】
なお、外側電極の貫通孔の形状と、電極棒の横断面形状とを異なるようにすると、両者の間に隙間が生じてしまうが、この隙間を０．２［ｍｍ］以下とすることが好ましい。これは、ランプ点灯時に陽イオンが貫通孔と電極棒との隙間を通らないようにするためである。
５．冷陰極放電ランプ
上記実施の形態では、本発明の電極を冷陰極蛍光ランプに適用した例について説明しているが、外側電極体が電極棒に対して傾斜して取り付けられると、電極組込時に蛍光体を書き取ってしまうという問題以外に、例えば、ガラス管の内周面と外側電極体の外周とのクリアランスが小の場合、電極をガラス管に組み込む時に、外側電極体がガラス管の内周面と接触して、外側電極体が電極棒から外れるという問題もある。
【００５１】
したがって、本発明における電極体は、ガラス管の内周面に蛍光体を被着していない冷陰極放電ランプにも適用できる。
【産業上の利用可能性】
【００５２】
本発明に係る電極は、容易且つ精度の良く製造でき、長寿命特性を有する冷陰極放電ランプに利用できる。
【図面の簡単な説明】
【００５３】
【図１】実施の形態に係る冷陰極蛍光ランプの全体概略図であり、内部の電極の様子が分かるように一部を切り欠いている。
【図２】図１におけるＡ部の拡大図である。
【図３】電極の斜視図である。
【図４】実施の形態における電極の製造方法を説明する概略図である。
【図５】実施の形態における電極の製造方法を説明する概略図である。
【図６】本発明における変形例を示す図である。
【図７】本発明における変形例を示す図である。
【図８】従来の電極を用いた冷陰極蛍光ランプにおけるガラス管の端部の断面拡大図である。
【符号の説明】
【００５４】
１０    冷陰極蛍光ランプ
１００    ガラス管
２００、２５０    電極
２１０、５２０、６２０、７２０、８２０    外側電極体
２１２、６２２、７２２、８３２    底板
２１４、７２４    貫通孔
２１８，２２４    電子放射物質
２２０、５３０、６３０、７３０、８３０    内側電極体
２２２、５２２、７５６    対向面
２３０、５５０、６５０、７５０、８５０    電極棒
３１０、３２０    筒体
３４０    懸濁液
５３２    延伸部
【図１】
2005142082.tif 000003
【図２】
2005142082.tif 000004
【図３】
2005142082.tif 000005
【図４】
2005142082.tif 000006
【図５】
2005142082.tif 000007
【図６】
2005142082.tif 000008
【図７】
2005142082.tif 000009
【図８】
2005142082.tif 000010